(57)【特許請求の範囲】
【請求項１】
複数の第１小孔（Ｈ１）を有する非透明な隔壁板（Ｗ）が水槽本体（Ｖ）内に装着されると共に、その隔壁板（Ｗ）により水槽本体（Ｖ）内部が、魚（Ｆ１，Ｆ２）を別々に収容可能な少なくとも一対の魚収容室（Ｃ１，Ｃ２）に区画され、
前記隔壁板（Ｗ）には、前記複数の第１小孔（Ｈ１）に対応した複数の第２小孔（Ｈ２）を有して該隔壁板（Ｗ）に重合する非透明なシャッター板（Ｓ）が、前記第１及び第２小孔（Ｈ１，Ｈ２）相互が一致する開放位置（Ａ）と、前記第１及び第２小孔（Ｈ１，Ｈ２）相互が不一致となって遮断される閉鎖位置（Ｂ）との間でスライドし得るように案内、支持され、
前記シャッター板（Ｓ）が前記開放位置（Ａ）に在るときには、相互に一致した前記第１及び第２小孔（Ｈ１，Ｈ２）を通して各々の魚収容室（Ｃ１，Ｃ２）から他方の魚収容室（Ｃ２，Ｃ１）内の魚（Ｆ２，Ｆ１）が視認可能であることを特徴とする、観賞魚用水槽装置。
【請求項２】
前記隔壁板（Ｗ）及び前記シャッター板（Ｓ）間には、そのシャッター板（Ｓ）を前記開放位置（Ａ）又は前記閉鎖位置（Ｂ）に選択的に保持し得る保持手段（Ｊ）が設けられることを特徴とする、請求項１に記載の観賞魚用水槽装置。
【請求項３】
前記隔壁板（Ｗ）は、前記水槽本体（Ｖ）に着脱可能に取付けられることを特徴とする、請求項１又は２に記載の観賞魚用水槽装置。
【請求項４】
前記隔壁板（Ｗ）の下端部には、前記シャッター板（Ｓ）が前記閉鎖位置（Ｂ）に在っても該シャッター板（Ｓ）で塞がれない第３小孔（Ｈ３）が設けられていて、その第３小孔（Ｈ３）を介して前記一対の魚収容室（Ｃ１，Ｃ２）間が常時連通していることを特徴とする、請求項１〜３の何れかに記載の観賞魚用水槽装置。
【請求項５】
複数の第１小孔（Ｈ１）を有する非透明な隔壁板（Ｗ）が水槽本体（Ｖ）内に装着されると共に、その隔壁板（Ｗ）により水槽本体（Ｖ）内部が、魚（Ｆ１，Ｆ２）を別々に収容可能な少なくとも一対の魚収容室（Ｃ１，Ｃ２）に区画され、
前記隔壁板（Ｗ）には、前記複数の第１小孔（Ｈ１）に各々対応した複数の第２小孔（Ｈ２）及び複数の不透明な目隠し部（Ｓａ）を有して該隔壁板（Ｗ）に重合するシャッター板（Ｓ）が、前記第２小孔（Ｈ２）が前記第１小孔（Ｈ１）と一致することで該第１小孔（Ｈ１）を開放する開放位置（Ａ）と、前記目隠し部（Ｓａ）が前記第１小孔（Ｈ１）と一致することで該第１小孔（Ｈ１）を塞ぐ閉鎖位置（Ｂ）との間でスライドし得るように案内、支持され、
前記シャッター板（Ｓ）が前記開放位置（Ａ）に在るときには、相互に一致した前記第１及び第２小孔（Ｈ１，Ｈ２）を通して各々の魚収容室（Ｃ１，Ｃ２）から他方の魚収容室（Ｃ２，Ｃ１）内の魚（Ｆ２，Ｆ１）が視認可能であることを特徴とする、観賞魚用水槽装置。
【発明の詳細な説明】
【技術分野】
【０００１】
本発明は、観賞魚、特にベタ等の闘争性の強い闘魚の飼育に好適な観賞魚用水槽装置に関する。
【背景技術】
【０００２】
ベタ等の闘魚は、闘争性が強く、他の闘魚を見ると興奮してヒレを拡げたり体色を変化させる等の威嚇行動をする習性があることが広く知られており、その動作変化が綺麗であったり特異であったりするため、その愛好家は多いと言われている。
【０００３】
従来、１つの水槽本体内を透明な隔壁で仕切って一対の魚収容室に区画し、その各々にベタ等の闘魚を個別に収容するようにした水槽装置が知られている（例えば下記の特許文献１を参照）。
【０００４】
そして、この従来装置では、各々の魚収容室の闘魚同士が常に見えていると、魚が興奮し過ぎることで疲れたり或いは魚が相手に飽きて上記威嚇行動をしなくなるため、透明な隔壁の中空部に不透明なシャッター板を抜差可能に嵌装して、このシャッター板で各々の魚収容室を完全に遮蔽するようにしていた。
【先行技術文献】
【特許文献】
【０００５】
【特許文献１】米国特許第７２４３６１３号明細書
【発明の概要】
【発明が解決しようとする課題】
【０００６】
ところが上記した従来装置では、上記シャッター板を特設したことにより、双方の魚収容室の魚を対面させる場合には、シャッター板を一時的に隔壁（従って水槽）から取り出す必要があり、このため、その水槽から取り出したシャッター板の保管、管理が面倒で、紛失の虞れもあった。また水槽から取り出したシャッター板で周囲が濡れないようにするために、透明な隔壁を二重構造として、セット状態のシャッター板を水槽内の水から隔離する必要もあり、それだけ隔壁構造が複雑化してコストが嵩む問題もある。
【０００７】
本発明は、上記に鑑み提案されたものであり、従来の上記問題を簡単な構造で一挙に解決できるようにした観賞魚用水槽装置を提供することを目的とする。
【課題を解決するための手段】
【０００８】
上記目的を達成するために、請求項１の発明は、複数の第１小孔を有する非透明な隔壁板が水槽本体内に装着されると共に、その隔壁板により水槽本体内部が、魚を別々に収容可能な少なくとも一対の魚収容室に区画され、前記隔壁板には、前記複数の第１小孔に対応した複数の第２小孔を有して該隔壁板に重合する非透明なシャッター板が、前記第１及び第２小孔相互が一致する開放位置と、前記第１及び第２小孔相互が不一致となって遮断される閉鎖位置との間でスライドし得るように案内、支持され、前記シャッター板が前記開放位置に在るときには、相互に一致した前記第１及び第２小孔を通して各々の魚収容室から他方の魚収容室内の魚が視認可能であることを特徴とする。
【０００９】
また請求項２の発明は、請求項１の前記特徴に加えて、前記隔壁板及び前記シャッター板間には、そのシャッター板を前記開放位置又は前記閉鎖位置に選択的に保持し得る保持手段が設けられることを特徴とする。
【００１０】
また請求項３の発明は、請求項１又は２の前記特徴に加えて、前記隔壁板は、前記水槽本体に着脱可能に取付けられることを特徴とする。
【００１１】
また請求項４の発明は、請求項１〜３の何れかの前記特徴に加えて、前記隔壁板の下端部には、前記シャッター板が前記閉鎖位置に在っても該シャッター板で塞がれない第３小孔が設けられていて、その第３小孔を介して前記一対の魚収容室間が常時連通していることを特徴とする。
【００１２】
さらに請求項５の発明は、複数の第１小孔を有する非透明な隔壁板が水槽本体内に装着されると共に、その隔壁板により水槽本体内部が、魚を別々に収容可能な少なくとも一対の魚収容室に区画され、前記隔壁板には、前記複数の第１小孔に各々対応した複数の第２小孔及び複数の不透明な目隠し部を有して該隔壁板に重合するシャッター板が、前記第２小孔が前記第１小孔と一致することで該第１小孔を開放する開放位置と、前記目隠し部が前記第１小孔と一致することで該第１小孔を塞ぐ閉鎖位置との間でスライドし得るように案内、支持され、前記シャッター板が前記開放位置に在るときには、相互に一致した前記第１及び第２小孔を通して各々の魚収容室から他方の魚収容室内の魚が視認可能であることを特徴とする。
【発明の効果】
【００１３】
以上のように請求項１又は５の発明によれば、隔壁板で仕切られた一対の魚収容室内にベタ等の闘魚を別々に収容しても、シャッター板を閉鎖位置に保持して第１及び第２小孔相互を不一致（従って各小孔を遮断）すれば、個々の魚収容室内の闘魚は、互いに相手が見えなくなることから、興奮しないで大人しくしており、したがって、魚同士が長時間対面することに因る魚の疲労、消耗を防止することができる。またシャッター板を開放位置にスライドさせると、相互に一致した第１及び第２小孔を通して各魚収容室内の闘魚が他方の魚収容室内の闘魚を見ることで興奮し、ヒレを拡げる等の威嚇行動をするので、その動作変化を楽しく観賞することができる。その上、シャッター板は、これが開放位置に在っても、水槽本体内で隔壁板に重合、保持させることができて、水槽外に一々、取り出す必要はないため、その保管、管理が容易で紛失の心配もなく、取り扱いが頗る簡便であり、またセット状態のシャッター板を隔壁板で水槽内の水から隔離する必要がないから、隔壁構造の簡素化、延いてはコスト節減に寄与することができる。
【００１４】
また特に請求項２の発明によれば、シャッター板は、これと隔壁板との間に設けた保持手段により、閉鎖位置及び開放位置の何れにも的確に保持されるため、その選択位置が妄りにずれる心配がない。
【００１５】
また特に請求項３の発明によれば、隔壁板をシャッター板ごと水槽本体より脱着することができ、それら板を取り外した状態では、水槽本体を比較的容量の大きい通常の水槽として利用可能であり、装置の汎用性が拡がる。
【００１６】
また特に請求項４の発明によれば、隔壁板には、シャッター板が閉鎖位置に在ってもシャッター板で塞がれない第３小孔が設けられているため、その第３小孔を介して一対の魚収容室間を常時連通させることができ、従って、一対の魚収容室間で水を支障なく流通させることができる。しかも、この第３小孔の配設位置は、隔壁板の下端部であるため、その第３小孔を通しては一対の魚収容室の魚が互いに相手の魚を視認することができず、従って、第３小孔の特設によっても魚が妄りに興奮する心配はない。
【図面の簡単な説明】
【００１７】
【図１】本発明の一実施例に係る水槽装置を示す全体斜視図
【図２】前記水槽装置の正面図
【図３】前記水槽装置の平面図（図２の３矢視図）
【図４】シャッター板が開放位置にある状態を示す、図３の４−４線断面図
【図５】シャッター板が閉鎖位置にある状態を示す、図４対応図
【図６】図５の６−６線断面図
【発明を実施するための形態】
【００１８】
以下、本発明の実施の形態について、添付の図面を参照しながら説明する。
【００１９】
先ず、図１〜図６を参照して、本発明の一実施例を説明する。
【００２０】
本実施例の鑑賞魚用水槽装置は、ベタ等の闘魚の二匹飼育に適したものであって、透明な合成樹脂又はガラスよりなる直方体状の水槽本体Ｖと、その水槽本体Ｖに着脱可能に装着（図示例では印籠嵌合）されてその開放上面を開閉可能に覆う透明又は不透明な蓋体Ｔとを備えており、その蓋体Ｔには、餌やり用の円孔Ｔａと、エアチューブや電気配線等を通すための切欠き状の孔Ｔｂとが設けられる。
【００２１】
前記水槽本体Ｖ内には、多数の第１小孔Ｈ１を有する矩形の隔壁板Ｗが着脱可能に装着されており、その隔壁板Ｗにより水槽本体Ｖの内部が仕切られて、二匹の魚Ｆ１，Ｆ２を別々に収容可能な少なくとも一対の魚収容室Ｃ１，Ｃ２が画成される。その隔壁板Ｗは、不透明な合成樹脂又はステンレス等の金属で形成されており、その下端は、水槽本体Ｖの底壁部に当接、支持される。
【００２２】
水槽本体Ｖの前壁部及び後壁部の各下端中央部の内面には、隔壁板Ｗの下端部両側を抜差可能に嵌合支持する各一対の支持突部Ｖｂが一体に突設され、また水槽本体Ｖの前壁部及び後壁部の各上端面中央部には、隔壁板Ｗの上端部に連設した突片Ｗａに係合させる係合凹部Ｖａが形成される。従って、それら支持突部Ｖｂ及び係合凹部Ｖａにより隔壁板Ｗが水槽本体Ｖの前壁部及び後壁部に起立状態に保持される。また、この状態より、蓋体Ｔを水槽本体Ｖより取り外して隔壁板Ｗを上方に引き抜けば、水槽本体Ｖより隔壁板Ｗを難なく取り外すことができ、一方、隔壁板Ｗの再装着は、この逆の手順で行えばよい。
【００２３】
その隔壁板Ｗにおいて、前記多数の第１小孔Ｈ１は、図示例では横方向に長い同一サイズの矩形の長孔とされており、横方向に数個が等ピッチで並列配置されると共に、その横並びの第１小孔Ｈ１群が上下に所定のピッチ（即ち１つの第１小孔Ｈ１の上下幅又はそれ以上の一定間隔）で多数配列されている。更に隔壁板Ｗの下端部には、最下段の第１小孔Ｈ１の下方に隣接して第３小孔Ｈ３が横方向に等ピッチで穿設され、これら第３小孔Ｈ３により、一対の魚収容室Ｃ１，Ｃ２間が常時連通される。
【００２４】
また隔壁板Ｗには、前記多数の第１小孔Ｈ１にそれぞれ対応した多数の第２小孔Ｈ２を有して該隔壁板Ｗに重合する不透明なシャッター板Ｓが、第１及び第２小孔Ｈ１，Ｈ２相互が一致する開放位置Ａ（図４）と、前記第１及び第２小孔Ｈ１，Ｈ２相互が不一致となって遮断される閉鎖位置Ｂ（図５）との間でスライドし得るように案内、支持される。
【００２５】
而してシャッター板Ｓにおいて、多数の第２小孔Ｈ２のサイズ並びに上下左右の配列ピッチは、隔壁板Ｗの第１小孔Ｈ１と同じに設定されている。そして、このシャッター板Ｓの、上下に互いに隣接する第２小孔Ｈ２に挟まれた部分は、該シャッター板Ｓが閉鎖位置Ｂ（図５）にあるときに隔壁板Ｗの第１小孔Ｈ１と対応する位置に在って該孔Ｈ１を塞ぐ目隠し部Ｓａとして各々機能する。
【００２６】
このシャッター板Ｓは、図示例では不透明な合成樹脂で隔壁板Ｗよりも僅かに小さい矩形に形成されており、そのシャッター板Ｓを上下方向にスライド可能に案内、支持するために、隔壁板Ｗの一面の上下四隅近傍には、該シャッター板Ｓの左右両側縁をスライド可能に抱持する横断面Ｌ字状の４つのガイド爪部Ｗｇがそれぞれ一体に突設される。
【００２７】
そして、図４に示されるように、シャッター板Ｓが開放位置Ａに在るときには、相互に一致した第１及び第２小孔Ｈ１，Ｈ２を通して各々の魚収容室Ｃ１（Ｃ２）内の魚Ｆ１（Ｆ２）が他方の魚収容室Ｃ２（Ｃ１）内の魚Ｆ２（Ｆ１）と対面、視認できるようになっている。
【００２８】
また隔壁板Ｗ及びシャッター板Ｓ間には、そのシャッター板Ｓを前記開放位置Ａ又は閉鎖位置Ｂに選択的に保持し得る保持手段が設けられる。その保持手段として図示例では、隔壁板Ｗ及びシャッター板Ｓの相対向面間に設けた凹凸係合手段Ｊが採用される。而してその凹凸係合手段Ｊは、隔壁板Ｗ及びシャッター板Ｓの相対向面上部の何れか一方に突設した突起１と、その何れか他方に設けられて該突起１が係脱可能に係合する係合孔２又は凹部とで構成される。その係合孔２又は凹部は、シャッター板Ｓの開放位置Ａ及び閉鎖位置Ｂに対応して上下一対、配置される。
【００２９】
さらに隔壁板Ｗの上端部一面には、摘みとシャッター板Ｓに対する抜け止めとを兼ねるストッパ突起Ｗｓが突設される。
【００３０】
次に前記実施例の作用を説明する。図１に示されるように、水槽本体Ｖの、隔壁板Ｗで仕切られた一対の魚収容室Ｃ１，Ｃ２には、ベタ等の闘魚Ｆ１，Ｆ２が１匹ずつ別々に収容される。
【００３１】
この場合、シャッター板Ｓを閉鎖位置（図５）に保持して第１及び第２小孔Ｈ１，Ｈ２相互を不一致（即ち第１小孔Ｈ１にシャッター板Ｓの前記目隠し部Ｓａが一致）すれば、全部の第１小孔Ｈ１がシャッター板Ｓ（即ち前記目隠し部Ｓａ）で塞がれて、個々の魚収容室Ｃ１，Ｃ２内の闘魚Ｆ１，Ｆ２は互いに相手の魚が見えないため、興奮しないで大人しくしており、従って、魚同士が長時間に亘り対面して威嚇行動を続けることに因る魚の疲労や消耗を防止することができる。
【００３２】
またシャッター板Ｓを開放位置Ａ（図４）にスライドさせると、個々の魚収容室Ｃ１，Ｃ２内の闘魚Ｆ１，Ｆ２は、相互に一致した第１及び第２小孔Ｈ１，Ｈ２を通して互いに相手の闘魚が見えることで興奮し、ヒレを拡げる等の威嚇行動をするので、その動作変化を楽しく観賞することができる。
【００３３】
その上、シャッター板Ｓは、前記開放位置Ａ（図４）に在っても、これを水槽本体Ｖ内で隔壁板Ｗに重合、保持させることができて、水槽外に一々、取り出す必要はないため、その保管、管理が容易で紛失の心配もなく、取り扱いが頗る簡便であり、またセット状態のシャッター板Ｓを隔壁板Ｗで水槽内の水から隔離する必要はないため、それだけ隔壁構造の簡素化が図られる。
【００３４】
また図示例では、シャッター板Ｓが、これと隔壁板Ｗとの間に設けた保持手段により、閉鎖位置Ｂ及び開放位置Ａの何れにも的確に保持されるため、その選択位置が妄りにずれる心配がない。この場合、その保持手段が、図示例のようにシャッター板Ｓと隔壁板Ｗとの対向面間に設けた凹凸係合手段Ｊで構成されると、簡単な構造でシャッター板Ｓの選択位置Ａ，Ｂのずれを確実に防止でき、しかもその取り扱い操作が簡便である。
【００３５】
また図示例では、隔壁板Ｗをシャッター板Ｓごと水槽本体Ｖより脱着することができ、それら板Ｗ，Ｓを取り外した状態では、水槽本体Ｖを比較的容量の大きい通常の水槽として利用可能であり、装置の汎用性が拡がる。
【００３６】
また図示例では、隔壁板Ｗにシャッター板Ｓが閉鎖位置Ｂに在ってもシャッター板Ｓで塞がれない第３小孔Ｈ３が設けられている。このため、その第３小孔Ｈ３を介して一対の魚収容室Ｃ１，Ｃ２間を常時連通させることができ、従って、隔壁板Ｗの特設によっても、一対の魚収容室Ｃ１，Ｃ２間で水を支障なく流通させることができる。しかも、これら第３小孔Ｈ３の配設位置は、隔壁板Ｗの下端部であるため、その第３小孔Ｈ３を通しては一対の魚収容室Ｃ１，Ｃ２の魚Ｆ１，Ｆ２が互いに相手の魚を視認しにくく、従って、第３小孔Ｈ３を設けても魚Ｆ１，Ｆ２が妄りに興奮する心配はない。
【００３７】
以上、本発明の実施の形態について説明したが、本発明は上記実施の形態に限定されるものではなく、特許請求の範囲に記載された本発明を逸脱することなく種々の設計変更を行うことが可能である。
【００３８】
例えば、前記実施例では、隔壁板Ｗに対しシャッターＳを開放位置Ａと閉鎖位置Ｂ間で上下方向にスライド可能に案内、支持させるものを示したが、本発明では、シャッターＳを開放位置Ａと閉鎖位置Ｂ間で横方向（水平方向）にスライド可能に案内、支持させるようにしてもよい。
【００３９】
また前記実施例では、隔壁板Ｗに対しシャッターＳを開放位置又は閉鎖位置Ｂに選択的に保持するための保持手段（凹凸係合手段Ｊ）を特別に設けたが、本発明では、隔壁板ＷとシャッターＳ間に働く摩擦力でシャッターＳを開放位置又は閉鎖位置Ｂに保持可能である場合には、上記保持手段Ｊを省略してもよい。
【００４０】
また前記実施例では、隔壁板ＷやシャッターＳに設けるべき小孔Ｓ１〜Ｓ３を横方向に長い長孔（スリット）に形成したが、本発明では、これら小孔Ｓ１〜Ｓ３の形状は任意に選定可能であり、例えば上下方向に長い長孔（スリット）や、円形状、三角形状、多角形状等であってもよい。
【００４１】
さらに前記実施例では、シャッターＳ全体を不透明に構成したものを示したが、本発明（請求項５）では、シャッターＳのうち少なくとも前記目隠し部Ｓａとなる部分だけを不透明として残余の部分を透明としてもよい。
【符号の説明】
【００４２】
Ａ・・・・・開放位置
Ｂ・・・・・閉鎖位置
Ｃ１，Ｃ２・・一対の魚収容室
Ｈ１・・・・第１小孔
Ｈ２・・・・第２小孔
Ｈ３・・・・第３小孔
Ｊ・・・・・保持手段としての凹凸係合手段
Ｓ・・・・・シャッター板
Ｓａ・・・・目隠し部
Ｖ・・・・・水槽本体
Ｗ・・・・・隔壁板
【図１】
0005631227.tif 000002
【図２】
0005631227.tif 000003
【図３】
0005631227.tif 000004
【図４】
0005631227.tif 000005
【図５】
0005631227.tif 000006
【図６】
0005631227.tif 000007